【手続補正書】
【提出日】平成16年4月30日(2004.4.30)
【手続補正１】
【補正対象書類名】明細書
【補正対象項目名】特許請求の範囲
【補正方法】変更
【補正の内容】
【特許請求の範囲】
【請求項１】
変圧器（ＬＰ０３）の一次巻線（９，２，１）に加えられる電圧を周期的に切り換えるスイッチングトランジスタ（ＴＰ２０）、スイッチング段（ＴＰ２２、ＴＰ２３）、上記スイッチングトランジスタ（ＴＰ２０）を動作するためのベース電流回路網（ＲＰ１９、ＤＰ１９、ＲＰ２１、ＣＰ２３、ＣＰ２４）、２次電圧（ＵＢ，ＵＡ，ＵＸ）を安定させるための制御段（ＴＰ３４）を有し、上記スイッチングトランジスタ（ＴＰ２０）は動作の間に、スイッチオン位相、オフ位相、及び発振位相を有するとともに、上記制御段（ＴＰ３４）を介し、かつ上記ベース電流回路網(ＲＰ１９、ＤＰ１９、ＲＰ２１、ＣＰ２３、ＣＰ２４)を与えるためのベース電流巻線（６，７）を介して自律的に発振するモード切換え電源において、
順方向に少なくとも１つのダイオード（ＤＰ３７、ＤＰ３８）を有し、かつ上記スイッチングトランジスタ（ＴＰ２０）のスイッチオン遅延を間接的に決定する（ＴＰ２２、ＴＰ２３）ための抵抗器（ＲＰ３７）を有する受動回路網が、前記制御段（ＴＰ３４）と並列に配置されることを特徴とするモード切換え電源。
【請求項２】
請求項１に記載のモード切換え電源において、
上記受動回路網は、少なくとも１つのダイオード（ＤＰ３７、ＤＰ３８）と直列に接続された抵抗器（ＲＰ３７）を含み、かつ該抵抗器（ＲＰ３７）の大きさは上記スイッチオン遅延が上記発振の第１の周期のほぼ最小値で生じるような大きさであることを特徴とするモード切換え電源。
【請求項３】
請求項２に記載のモード切換え電源において、
上記スイッチオン遅延は上記第１の周期の最小値の少し前に生じることを特徴とするモード切換え電源。
【手続補正２】
【補正対象書類名】明細書
【補正対象項目名】０００５
【補正方法】変更
【補正の内容】
【０００５】
【課題を解決するための手段】
この発明（請求項１）に係るモード切換え電源は、変圧器（ＬＰ０３）の一次巻線（９，２，１）に加えられる電圧を周期的に切り換えるスイッチングトランジスタ（ＴＰ２０）、スイッチング段（ＴＰ２２、ＴＰ２３）、上記スイッチングトランジスタ（ＴＰ２０）を動作するためのベース電流回路網（ＲＰ１９、ＤＰ１９、ＲＰ２１、ＣＰ２３、ＣＰ２４）、２次電圧（ＵＢ，ＵＡ，ＵＸ）を安定させるための制御段（ＴＰ３４）を有し、上記スイッチングトランジスタ（ＴＰ２０）が動作の間に、スイッチオン位相、オフ位相、及び発振位相を有するとともに、上記制御段（ＴＰ３４）を介し、かつ上記ベース電流回路網(ＲＰ１９、ＤＰ１９、ＲＰ２１、ＣＰ２３、ＣＰ２４)を与えるためのベース電流巻線（６，７）を介して自律的に発振するモード切換え電源において、順方向に少なくとも１つのダイオード（ＤＰ３７、ＤＰ３８）を有し、かつ上記スイッチングトランジスタ（ＴＰ２０）のスイッチオン遅延を間接的に決定する（ＴＰ２２、ＴＰ２３）ための抵抗器（ＲＰ３７）を有する受動回路網を、前記制御段（ＴＰ３４）と並列に配置したものである。
【手続補正３】
【補正対象書類名】明細書
【補正対象項目名】０００６
【補正方法】変更
【補正の内容】
【０００６】
また、この発明（請求項２）は、請求項１に記載のモード切換え電源において、上記受動回路網が少なくとも１つのダイオード（ＤＰ３７、ＤＰ３８）と直列の抵抗器（ＲＰ３７）を含み、かつ上記抵抗器（ＲＰ３７）の大きさが上記スイッチオン遅延が上記発振の第１の周期のほぼ最小値で生じるような大きさであるものである。
【手続補正４】
【補正対象書類名】明細書
【補正対象項目名】０００７
【補正方法】変更
【補正の内容】
【０００７】
また、この発明（請求項３）は、請求項２に記載のモード切換え電源において、上記スイッチオン遅延が上記第１の周期の最小値の少し前に生じるものである。
【手続補正５】
【補正対象書類名】明細書
【補正対象項目名】０００８
【補正方法】削除
【補正の内容】
【手続補正６】
【補正対象書類名】明細書
【補正対象項目名】０００９
【補正方法】削除
【補正の内容】
【手続補正７】
【補正対象書類名】明細書
【補正対象項目名】００１０
【補正方法】削除
【補正の内容】
【手続補正８】
【補正対象書類名】明細書
【補正対象項目名】００１１
【補正方法】削除
【補正の内容】
【手続補正９】
【補正対象書類名】明細書
【補正対象項目名】００１２
【補正方法】削除
【補正の内容】
【手続補正１０】
【補正対象書類名】明細書
【補正対象項目名】００３１
【補正方法】変更
【補正の内容】
【００３１】
【発明の効果】
以上のように本発明（請求項１）によれば、変圧器（ＬＰ０３）の一次巻線（９，２，１）に加えられる電圧を周期的に切り換えるスイッチングトランジスタ（ＴＰ２０）、スイッチング段（ＴＰ２２、ＴＰ２３）、上記スイッチングトランジスタ（ＴＰ２０）を動作するためのベース電流回路網（ＲＰ１９、ＤＰ１９、ＲＰ２１、ＣＰ２３、ＣＰ２４）、２次電圧（ＵＢ，ＵＡ，ＵＸ）を安定させるための制御段（ＴＰ３４）を有し、上記スイッチングトランジスタ（ＴＰ２０）が動作の間に、スイッチオン位相、オフ位相、及び発振位相を有するとともに、上記制御段（ＴＰ３４）を介し、かつ上記ベース電流回路網(ＲＰ１９、ＤＰ１９、ＲＰ２１、ＣＰ２３、ＣＰ２４)を与えるためのベース電流巻線（６，７）を介して自律的に発振するモード切換え電源において、順方向に少なくとも１つのダイオード（ＤＰ３７、ＤＰ３８）を有し、かつ上記スイッチングトランジスタ（ＴＰ２０）のスイッチオン遅延を間接的に決定する（ＴＰ２２、ＴＰ２３）ための抵抗器（ＲＰ３７）を有する受動回路網を、前記制御段（ＴＰ３４）と並列に配置したので、スイッチングトランジスタのスイッチオン損失を最小とできる効果がある。
【手続補正１１】
【補正対象書類名】明細書
【補正対象項目名】００３２
【補正方法】変更
【補正の内容】
【００３２】
また、この発明（請求項２）によれば、請求項１に記載のモード切換え電源において、上記受動回路網が少なくとも１つのダイオード（ＤＰ３７、ＤＰ３８）と直列の抵抗器（ＲＰ３７）を含み、かつ上記抵抗器（ＲＰ３７）の大きさが上記スイッチオン遅延が上記発振の第１の周期のほぼ最小値で生じるような大きさであるものとしたから、スイッチングトランジスタのスイッチオン損失を最小とできる効果がある。
【手続補正１２】
【補正対象書類名】明細書
【補正対象項目名】００３３
【補正方法】変更
【補正の内容】
【００３３】
また、この発明（請求項３）によれば、請求項２に記載のモード切換え電源において、上記スイッチオン遅延が上記第１の周期の最小値の少し前に生じるものとしたから、スイッチングトランジスタのスイッチオン損失を最小とできる効果がある。
【手続補正１３】
【補正対象書類名】明細書
【補正対象項目名】００３４
【補正方法】削除
【補正の内容】
【手続補正１４】
【補正対象書類名】明細書
【補正対象項目名】００３５
【補正方法】削除
【補正の内容】
【手続補正１５】
【補正対象書類名】明細書
【補正対象項目名】００３６
【補正方法】削除
【補正の内容】
【手続補正１６】
【補正対象書類名】明細書
【補正対象項目名】００３７
【補正方法】削除
【補正の内容】
【手続補正１７】
【補正対象書類名】明細書
【補正対象項目名】００３８
【補正方法】削除
【補正の内容】